(57)【要約】撃針アセンブリ（５）が提供され、このアセンブリは、撃針（３０）および撃針シャフト（２０）を備える。撃針（３０）は、撃針シャフト（２０）の端部のスロット（３１）に受容されて、ばね保持スリーブ（５０）、主ばね（４０）、および主ばねスリーブ（１０）を用いて、このスロット内に保持される。撃針（３０）は、撃針アセンブリ（５）から取り外し可能であり、そして交換されて、この撃針アセンブリの延長された使用をもたらし得る。撃針アセンブリ（５）は、ばね保持スリーブ（５０）がこれらの構成要素を適切な位置にしっかりと保持するように配向される場合、１部品のユニットとして作動する。
2007511736.tif 000002
【特許請求の範囲】
【請求項１】
撃針アセンブリであって、以下：
撃針、および該撃針を内部に受容し、そして据え付けるように適合された、撃針シャフト；
該撃針シャフトを覆って受容される、主ばねスリーブ；
該撃針シャフトに沿って、該主ばねスリーブから間隔を空けて、該撃針と係合して設置可能な、ばね保持スリーブ；ならびに
該主ばねスリーブと該ばね保持スリーブとの間に収容される、主ばね、
を備え；
該撃針は、該主ばねにより該ばね保持スリーブに対して付与される圧縮力によって、該撃針シャフトと係合するように保持され、実質的にまとまった撃針構造体を形成する、撃針アセンブリ。
【請求項２】
前記ばね保持スリーブが、前記撃針シャフトに沿って形成された保持表面と係合する切り欠きを備える、請求項１に記載の撃針アセンブリ。
【請求項３】
前記主ばねスリーブが、切り欠き付きの端部および切り欠きなしの端部を備え、そして前記撃針シャフトが、撃針シャフトヘッドを備える、請求項２に記載の撃針アセンブリ。
【請求項４】
前記撃針が、打ち抜き加工された部品を備える、請求項１に記載の撃針アセンブリ。
【請求項５】
前記撃針が、前記撃針シャフトのスロット内に受容されて保持されるように適合された、先端部およびヘッド部を備える、請求項１に記載の撃針アセンブリ。
【請求項６】
前記ばね保持スリーブが、スロットを有するスロット付きの端部を有する、請求項１に記載の撃針アセンブリ。
【請求項７】
前記ばね保持スリーブが、前記撃針シャフト上に配置されて前記スロットを前記切り欠きに固定する場合に回転する、請求項６に記載の撃針アセンブリ。
【請求項８】
撃針アセンブリを構築する方法であって、該方法は、以下：
主ばねスリーブを、撃針シャフトに沿って配置する工程であって、該撃針シャフトは、スロット、および該撃針シャフトの一端に形成された少なくとも１つの保持表面を有する、工程；
撃針を、該撃針シャフトの該スロットに挿入する工程；
主ばねを、該撃針および該撃針シャフトを覆って動かす工程；
該主ばねを、ばね保持スリーブを用いて、該撃針シャフトに向けて圧縮する工程；
該ばね保持スリーブを、該撃針シャフトの該少なくとも１つの保持表面と係合してロックするように再配向し、該撃針アセンブリを圧縮ばめでロックして、実質的にまとまった撃針構造体を形成するする工程、
を包含する、方法。
【請求項９】
前記主ばねスリーブを前記撃針シャフト上にスライドさせた後に、該主ばねスリーブを該撃針シャフト上に据え付ける工程をさらに包含する、請求項８に記載の方法。
【請求項１０】
前記主ばねが、前記撃針シャフトに沿って設置された主ばねスリーブに据え付けられる、請求項８に記載の方法。
【請求項１１】
前記撃針シャフトの撃針ヘッドが、前記主ばねスリーブの切り欠き内に受容される、請求項８に記載の方法。
【請求項１２】
前記ばね保持スリーブが、前記スロットを前記切り欠きに据え付けるように回転される、請求項１１に記載の方法。
【発明の詳細な説明】
【技術分野】
【０００１】
（発明の分野）
本発明は、一般に、撃針アセンブリのための２部品の円滑に動く構築物、およびこのアセンブリの撃針を交換する方法に関する。
【背景技術】
【０００２】
（発明の背景）
拳銃およびライフル銃のような銃器は、代表的に、撃針を備える撃針アセンブリを利用する。この撃針は、撃鉄などによって引き金の取っ手に係合し、そして弾丸の点火を開始するために、１発分の弾薬のプライマーを叩く。この撃針が叩かれ、そして１発分の弾薬を叩く機械的作動を考慮すると、この撃針アセンブリの繰り返しの使用は、この銃器が適切に管理されない場合に特に、この撃針の疲労を引き起こし得、そして／またはこの撃針の不適切な磨耗を生じさせ得る。その結果、撃針は、磨耗し得るか、またはおそらく破損し得、これにより、不発を生じ得る。
【０００３】
撃針が磨耗したかまたは破損した、このような状況において、この問題に取り組むための代表的な解決策は、撃針アセンブリ全体を交換することであった。しかし、完全な撃針アセンブリの交換は、厄介であり得、不正確になり得、そして高価であり得る。
【発明の開示】
【課題を解決するための手段】
【０００４】
（発明の要旨）
本開示に従って、本発明は、一般に、銃器用の２部品の滑らかに動く撃針アセンブリ、およびこのような撃針アセンブリを構築するための方法に関し、そしてこのアセンブリの撃針を交換するための方法が、提供される。この撃針アセンブリは、一般に、一連の個々の構成要素から構成される。これらの構成要素は、別個の構成要素または部品として製造され得、これらの構成要素または部品は、実質的に交換可能であり、そして完成した撃針アセンブリを作製するために、一緒に組み立てられ得る。この完成した撃針アセンブリは、１部品のまとまった撃針構造体として作動し、銃器が使用において起動される場合に、１発分の弾薬を叩き、そしてこの弾薬の点火を開始する。さらに、この組み立てられた撃針アセンブリは、この撃針アセンブリの個々の部品（例えば、撃針）が、必要とされる場合または望まれる場合に、この撃針アセンブリ全体を交換する必要なく、迅速にかつ容易に交換されることを可能にする。
【０００５】
本明細書中に開示される撃針アセンブリは、一般に、２部品の構築物を備え、この構築物は、前方の、遠位端または衝撃端、および後方の、近位端またはヘッドを有する、撃針を備える。この撃針ヘッドは、撃針シャフトの凹部または受容スロット内に受容されて、２部品の撃針構築物を形成する。主ばねスリーブが、さらに、最初に、この撃針シャフト上に配置されて、この撃針ヘッドを、この撃針シャフトの切り欠きの内部に据え付け、そして主ばねが、この撃針を覆って、この撃針シャフト上にスライドされ、この主ばねスリーブの円形の前方表面に据え付けられる。その後、ばね保持スリーブは、この撃針シャフトのスロット付き端部の内部に受容された撃針のヘッドを覆って配置され、これらの構成要素を一緒に固定し、そして主ばねを圧縮する。１つの例示的な実施形態において、このばねがこのばね保持スリーブをこの撃針シャフトの切り欠きに据え付ける場合に、可聴のクリック音が発生し得る。
【０００６】
組み立てられた撃針アセンブリの撃針を交換する目的で、ばね保持スリーブが最初に取り外されて、主ばねを解放し、そしてこの撃針が、この撃針シャフトから取り外されることを可能にする。次いで、この撃針は、迅速かつ容易に交換され得、そしてこの撃針アセンブリが再度組み立てられ得る。
【０００７】
さらなる特徴として、この撃針シャフトは、滑らかに動く撃針を受容し得る。この撃針シャフトとこの撃針との間の界面は、この撃針アセンブリの組み立てられた長さの観点で、この撃針の相対的な運動を可能にする。したがって、あらゆる誤整列の状況を克服するために、この撃針およびこの撃針シャフトは、必要に応じて、滑らかに動くこと、またはわずかに動くことを可能にされ得る。この滑らかな動きは、この撃針が曲がること、嵌って動かなくなること、または壊れることを防止し、そしてこの撃針アセンブリの設計に、頑丈さを加える。この撃針がこの撃針シャフト内で滑らかに動くことを可能にすることによって、この撃針の幾何学的形状は、この撃針シャフトとこの銃器の撃鉄との間の界面を変化させることなく変化して、潜在的に、例えば、周縁起爆式の撃針および基底部中央に雷管のある撃針の製造を可能にし得る。従って、本明細書中に記載される、完成された撃針アセンブリは、この銃を発砲する場合に、この撃針と撃針シャフトとを結合させてこの撃針アセンブリを１部品の撃針として作動させることによって、１部品の撃針の機能および作動に匹敵する。
【０００８】
本発明の撃針アセンブリの種々の特徴、目的、および利点は、以下に記載される詳細な説明において議論されるか、または以下に記載される詳細な説明から明らかになる。
【発明を実施するための最良の形態】
【０００９】
（好ましい実施形態の説明）
ここで、図面がより詳細に参照される。図面において、同じ番号は、適切である場合、全体を通して同じ部品を表す。図１は、本発明の撃針アセンブリの、分解斜視図である。撃針アセンブリ５は、一般に、５つの主要な構成要素を備え、これらの構成要素には、主ばねスリーブ１０、撃針シャフト２０、撃針３０、主ばね４０、およびばね保持スリーブ５０が含まれる。
【００１０】
図１に示されるように、主ばねスリーブ１０は、円筒形の側壁１１を有し、この側壁は、内側表面１２および外側円筒形表面１３を有する。主ばねスリーブ１０は、さらに、代表的に、金属または金属合金から形成されるが、他の弾性で耐久性のある材料もまた、使用され得、この主ばねスリーブは、撃針ピン２０と係合しながら主ばね４０による圧力に耐えるために十分に弾性である。この主ばねは、主ばねスリーブ１０とばね保持スリーブ５０との間の正確な距離を維持するように、構成される。主ばねスリーブ１０はまた、第一の近位端１４および第二の遠位の切り欠き付きの端部１６を備え、この近位端は、組み立てられた撃針アセンブリ５において、撃針３０の方に面する挿入位置で代表的に配向される円形の表面を有し、そしてこの遠位の切り欠き付きの端部は、この撃針アセンブリにおける挿入位置にある場合に、撃針３０ではない方を向くように代表的に配向される表面を有する。切り欠き１８は、主ばねスリーブの側壁１１に形成され、そして切り欠き付きの端部１６から、円形の表面１４のほうへと延びるが、一般に、この円形の表面まで完全には延びない。切り欠き１８は、主ばねスリーブ１０の円筒形の側壁を通って延び、そして撃針シャフト２０の撃針シャフトヘッド２２を受容して係合するように、構成され得る。
【００１１】
図１および図２に示されるように、撃針アセンブリ５の撃針シャフト２０は、金属(例えば、はがね）または金属合金から一般的に形成される細長部材であるが、他の剛性の高強度の耐久性のある材料（例えば、合成材料または複合材料）もまた、使用され得る。撃針シャフト２０は、本体２１を備え、この本体は、代表的に、撃針シャフトの頂部表面２６、側部表面２５、および底部表面２７を有する矩形であるが、他の形状または構成もまた、使用され得る。撃針シャフト２０の底部表面２７は、代表的に、この底部表面から下向きに延びる撃針ピンシャフトヘッドの部分または突出部２２を収容する。撃針シャフトヘッド２２は、前方表面２３および後方表面２４を有し、前方表面２３は、この撃針ピンアセンブリの構成要素が作動可能な構成に組み立てられると、主ばねスリーブ１０と係合するように適合される。撃針シャフト２０は、第一の前方の切り欠き付きの端部２８、および第二の後方の切り欠きのない端部２９を、さらに備える。図１において見られ得るように、撃針シャフトヘッド２２は、代表的に、切り欠きのない端部２９の近くに、切り欠き付きの端部２８から長手軸方向に間隔を空けて配置される。
【００１２】
撃針シャフト２０の切り欠き付きの端部２８は、スロットまたはチャネル３１を収容し、このスロットまたはチャネルは、切り欠き付きの端部２８から後方に延び、そして撃針３０の撃針付属品またはヘッド部３２を内部に受容するように適合されており、これによって、以下に記載されるように、そして図１に示されるように、撃針を係合して、この撃針を、ロックされたまとまった構成に保持する。保持表面３３は、切り欠き付きの端部２８から内側に間隔を空けており、そしてスロット３１に対して垂直に突出する。保持表面３３は、代表的に、撃針シャフト２０の側壁２５に、その切り欠き付きの端部２５に隣接して形成された窪みまたは凹部を備えるか、または含み、この窪みまたは凹部は、撃針シャフトの切り欠き付きの端部２８および撃針３０のヘッド３２を覆って位置決めされる場合に、ばね保持スリーブ５０によって係合される。
【００１３】
撃針３０は、細長い部材または部品であり、一般に、金属または合金(例えば、鋼）から形成されるが、他の剛性の、耐久性のある、高強度の材料（合成材料または複合材料が挙げられる）もまた、使用され得る。撃針と撃針シャフトとは、一緒になって、撃針アセンブリ５のための、滑らかに動くかまたは調節可能な、２部品の構築物を形成する。この撃針、およびこの撃針シャフトは、さらに一般的に、打ち抜き加工、切削、金属射出成型、またはこれらの部品が、より広範な許容で、これらの部品の大規模かつ精密な仕上げ加工を必要とせずに、迅速かつ容易に製造され得る他の低費用の形成方法によって、形成され得、これによって、後の時点で必要とされる場合に、容易な交換を可能にする。
【００１４】
図１および図２に図示されるように、撃針３０は、頂縁部３６、底縁部３７、平坦な面または側部３８、保持端部３５、ヘッド部３２、および発砲端部または先端３４を有する。この撃針の先端３４は、代表的に、保持端部３５より小さい寸法であり、そして従来の撃針と同じように形成され、そして／または仕上げ加工される（例えば、この先端を覆うセラミックまたは類似の材料のコーティングが挙げられる）。１つの実施形態において、撃針３０の先端３４はまた、図４ａおよび図４ｂに示されるように、７°〜８°の角度が付いた表面を備える。この角度が付いた表面の目的／理論は、周縁起爆式のカートリッジの周縁内のプライマー混合物を捕捉して、不発の割合を低下させることである。この撃針のヘッド部３２は、図１に示されるような、細長い平坦なセクションであり、この部分は、代表的に、撃針の底縁部３７から下方に突出しており、そしてスロット３１内の撃針シャフト２０によって受容されるように適合された、フランジまたは雄部分を規定する。撃針頂縁部３６は、さらに、保持表面または切り欠き３９を備え、この保持表面または切り欠きは、上記のように、撃針アセンブリ５が組み立てられる場合にばね保持スリーブ５０を受容し、そして係合するために、この撃針とこの撃針シャフトが一緒に連結される場合に、撃針シャフト２０の保持表面３３に対応し、そしてこの保持表面と実質的に整列する。
【００１５】
主ばね４０は、一般に、圧縮ばねであり、この圧縮ばねは、この撃針アセンブリが組み立てられる場合に、撃針シャフト２０を覆って受容され、そしてこの撃針シャフトに沿って延び、そして第一の端部４１において、主ばねスリーブ１０と係合し、そして他方の第二の端部４２において、ばね保持スリーブ５０と係合する。組み立てられる場合、主ばね４０は、撃針アセンブリ５全体を圧縮させて配置するように係合し、構成要素を、圧縮ばめ配置で一緒に固定し、その結果、撃針アセンブリ５は、実質的にまとまった構造体として機能し、そしてねじれまたは望ましくない移動運動に抵抗する。主ばね４０は、これらの図において、第一の端部４１が主ばねスリーブ１０に係合しており、そして端部４２が、ばね保持スリーブ５０に係合しているように示されるが、当業者は、主ばね４０が、機能を全く失わずに、その第二の端部４２が主ばねスリーブ１０に係合し、そしてその第一の端部４１がばね保持スリーブ５０に係合するように組み立てられることが可能であることを認識することが、注目されるべきである。従って、このばねの端部は、説明を容易にするために、図１の配向で示され、そしてこの撃針アセンブリを、示される特定の主ばねの配向に限定するべきではない。主ばね４０は、さらに代表的に、金属または金属合金から構成されるが、このばねはまた、この撃針アセンブリの保持のために必要とされる圧縮力／抵抗を提供する、任意の弾性の、耐久性のある材料（合成材料または複合材料が挙げられる）から形成され得る。主ばね４０はまた、代表的に、通常の作動における「セット」がないことを確実にするように、「予め応力を与えられる」。
【００１６】
図１および図２にさらに図示されるように、本明細書中に記載される撃針アセンブリ５のばね保持スリーブ５０は、代表的に、金属、金属合金、合成材料、複合材料または他の耐久性のある材料から、円筒として形成され、円筒形の側壁５１は、内側表面５２および外側表面５３を有し、そして通路を規定し、この通路を通して、撃針３０が受容される。ばね保持スリーブ５０は、スロットを有する、第一の前方のスロット付き端部５５、および円形の後方または第二の端部５４を有し、この円形の端部は、この撃針アセンブリが組み立てられる場合に、代表的に、主ばね４０と係合する。スロット付きの端部５５に形成されるスロットは、側部表面５６をさらに備え、この側部表面は、この撃針アセンブリが組み立てられる場合に、撃針シャフト２０の保持表面３３、および撃針３０の保持表面３９に係合するように、適合される。
【００１７】
図２および図３は、完成した撃針アセンブリ、およびライフル銃のような銃器Ｆ（図３）におけるこのアセンブリの使用を示すが、本発明の撃針アセンブリはまた、種々の他の型の銃器（例えば、散弾銃および他の長銃およびより大きな銃器、ならびに拳銃）において、使用され得ることが理解される。完成すると、この撃針アセンブリの主ばねスリーブ１０は、撃針シャフト２０と係合し、そして撃針３０は、スロット３１に係合され、そして主ばね４０の、一端での撃針ヘッド２２と、他端でのばね保持スリーブ５０との間への係合によって、圧縮されて保持される。
【００１８】
この撃針アセンブリを組み立てる方法が、ここで記載される。最初に、主ばねスリーブ１０が、撃針シャフト２０上にスライドされる。主ばねスリーブ１０の切り欠き付きの端部表面が、最初に、撃針シャフト２０の切り欠き付きの端部２８を覆ってスライドされ、主ばねスリーブ１０の切り欠き１８は、撃針シャフト２０の底部表面２７と、長手軸方向に整列する。ついで、主ばねスリーブ１０が、撃針シャフト２０上を後方にスライドされ、切り欠き１８が、撃針シャフトヘッド２２と係合する。次いで、図２に図示されるように、撃針シャフト２０の撃針ヘッド２２が主ばねスリーブ１０の切り欠き内に据え付けられるまで、主ばねスリーブ１０が、撃針シャフト２０に沿って動かされる。
【００１９】
次に、撃針シャフト２０がほぼ水平に保持され、その撃針シャフトヘッド２２が下向きに延びる方向を指す状態で、撃針３０のヘッド部３２が、撃針シャフト２０の切り欠き付きの端部２８のスロット３１と整列され、そしてこのスロットに挿入される。次いで、撃針３０は、撃針シャフト２０のスロット３１に完全に挿入されるか、またはこのスロットの内部に推進されて、撃針３０の頂部表面３６を、撃針シャフト２０の頂部表面２６とほぼ同一面にする。
【００２０】
一旦、撃針３０が、撃針シャフト２０のスロット内に据え付けられるか、または入れ子にされると、主ばね４０は、撃針３０を覆ってスライドし、切り欠き付きの端部２８を通過し、そして撃針シャフト２０上へとスライドされる。主ばね４０は、主ばねスリーブ１０（上記のように、撃針シャフトヘッド２２において、撃針シャフト２０上に設置されている）の円形の表面１４に据え付けられるまで、この接続された撃針３０および撃針シャフト２０に沿って推進される。次いで、これらの構成要素は、一般に、上向きの方向を指す撃針３０を用いて、垂直方向に再配向される。次いで、ばね保持スリーブ５０は、撃針３０を覆ってスライドされ、そのスロット付きの端部５５は、上方を指し、そしてこのスロットの側部表面５６は、撃針３０の広い平坦な面３８に対して平行に配置される。
【００２１】
ばね保持スリーブ５０は、撃針３０を覆って下向きに、主ばね４０の第二の端部４２と係合するように動かされる。次いで、主ばね４０は、ばね保持スリーブ５０のスロット付きの端部５５が撃針シャフト２０の切り欠き付きの端部２８の下方に移動するまで、圧縮される。主ばね４０が、圧縮状態に維持される間に、ばね保持スリーブ５０は、撃針シャフト２０の保持表面３３および撃針３０の保持表面３９の周りで９０°回転し、そして解放される。従って、主ばね４０を解放することによって、ばね保持スリーブ５０を推進し、そしてばね保持スリーブ５０を、撃針シャフト２０の保持表面３３および撃針３０の保持表面３９に据え付ける。さらに、主ばね４０がばね保持スリーブ５０を保持表面に据え付ける際に、可聴の「クリック音」が発生して、操作者／使用者に、この組み立てが完了したことを示し得る。上記方法の結果として、図２に示されるような撃針アセンブリが完成する。
【００２２】
撃針３０が、例えば、その先端において、磨耗したかまたは破損した場合に、撃針３０を交換するために、この撃針アセンブリは、最初に、ばね保持スリーブ５０に、主ばね４０に向かう方向で圧力を付与し、そしてばね保持スリーブ５０を、上に記載されたような組み立てのための回転とは逆の方向に約９０°回転させて、このばね保持スリーブを解放することによって解体され、その後、このばね保持スリーブは、この撃針アセンブリから取り外され得る。次いで、主ばね４０は、取り外され得、そして撃針３０が、撃針シャフト２０の切り欠き付きの端部２８のスロット３１との係合から外され得る。次いで、交換用の撃針が、スロット３１内で交換され得、そしてこの撃針アセンブリが、この交換用の撃針が、磨耗したかまたは破損した撃針３０の代わりに使用されて、上記のように、再度組み立てられ得る。完成すると、この交換用の撃針アセンブリは、図３に図示されるように、銃器に再度設置され得る。
【００２３】
この撃針アセンブリを組み立てる方法は、手で実施され得、そしていかなる固定具、工具、または他の道具の使用も、必要としない。さらに、保持スリーブ５０の設置の説明に関して上に詳述されたような方法工程の代わりに、スロット付きの端部２８に形成されたスロット３１の側部表面２５が、撃針３０の平坦な面３８に対して平行に配向する限り、上記構成要素はまた、このばね保持スリーブを設置するために所望される任意の配向で、保持され得る（垂直であることが必要とされないことと比較のこと）。上に詳述されたような配向は、本明細書中で、説明を容易にするために利用されており、そしていかなる方法でも、限定するべきではない。さらに、組み立てまたは解体の方法を実施する間に、この撃針に、横方向の負荷が付与されないことが重要である。この撃針が不適切に装填される場合、この撃針は、この撃針の広い平坦な面に対していくらか垂直に付与される負荷によって、破損し得る。
【００２４】
従って、本明細書中で詳述された、この撃針および撃針シャフトの２部品の構成は、容易な組み立て、およびアセンブリ全体の交換を必要としない、破損した構成要素の容易な交換の改善を提供する。本明細書中に記載された、交換可能な撃針アセンブリは、さらに、ゆがんだりねじれたりしにくい。なぜなら、この２部品の構成は、ばね保持スリーブが完成したアセンブリを適所にしっかりと保持するように配向される場合に、１部品のユニットとして作動するからである。従って、この撃針ヘッドは、撃針シャフトに実質的に一体的に接続されるかまたは取り付けられるので、この銃器のチャンバに装填された弾丸との良好な滑らかな係合作動が確実にされ、一方で、不正確に位置決めされた撃針ヘッドに起因する緩みまたは不発を回避する。さらに、この銃器のロック時間が、従来の２部品の撃針設計より改善される。さらに、撃針は、打ち抜き加工され得るか、金属射出成型され得るか、またはより大量に生産する技術を使用して他の様式で形成され得るので、この撃針は、容易に製造され、従って、この撃針の先端の形状は、打ち抜き加工工具または類似の工具によって、容易にかつ安価に再生産される。さらに、この撃針シャフトは、この銃器の穴の中心線上にあり、その結果、この銃器の穴、ボルト、尾筒および銃身は、全て、同心状に配向し、このことは、機械加工をさらに単純化し、そして周縁起爆式の設計から基底部中央に雷管のある設計までの銃器の拡張または収束のための、基本的な台を提供する。
【００２５】
本発明は、本発明者らに既知である、本発明を実施するための最良の形態を代表する、好ましい実施形態および方法論の観点で、本明細書中に記載された。しかし、説明された実施形態に対する広範な種々の改変、置換および代替が、特許請求の範囲に記載されるような、本発明の精神および範囲から逸脱することなくなされ得ることが、当業者によって理解される。
【図面の簡単な説明】
【００２６】
【図１】図１は、２部品の撃針アセンブリの分解斜視図である。
【図２】図２は、完成した撃針アセンブリである。
【図３】図３は、銃器において使用するための、撃針アセンブリの側面立面図である。
【図４ａ】図４ａは、衝突前の撃針と砲弾との拡大図である。
【図４ｂ】図４ｂは、衝突時の撃針と砲弾との拡大図である。
【図１】
2007511736.tif 000003
【図２】
2007511736.tif 000004
【図３】
2007511736.tif 000005
【図４ａ】
2007511736.tif 000006
【図４ｂ】
2007511736.tif 000007
【国際調査報告】
2007511736.tif 000008
2007511736.tif 000009